(57)【要約】【課題】公差に対応して固定対象物に係止可能な被固定物、ヒュージブルリンク、及び、固定対象物に対する被固定物の固定構造を提供する。【解決手段】係止部材３０の接続部３３が、第一アーム部３１から離れるにしたがって第二上面部１５２から離れるように折れ曲がり、第二アーム部３２から離れるにしたがって側面部１６から離れるように折れ曲がっている。ベース体２３をバッテリ１０の設置面部に設置した際に、側面部１６と略直交する方向における公差が生じても、接続部３３を変形させることによってこの公差を吸収し、下端縁１７に被係止部３５を係止させることができる。【選択図】図４
2016131120.tif 000002
【特許請求の範囲】
【請求項１】
設置面部と、この設置面部に交差する方向に延びる交差面部と、この交差面部に設けられる係止部と、を有して構成される固定対象物に対して固定される被固定物であって、
前記設置面部に設置される被固定物本体と、
前記係止部に係止される被係止部を有するとともに前記被固定物本体に取り付けられる係止部材と、を有して構成され、
前記係止部材は、前記被固定物本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、
前記第二アーム部には、前記被係止部が設けられ、
前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記固定対象物と間隔をあけて配置されることを特徴とする被固定物。
【請求項２】
前記接続部は、前記第一アーム部と前記第二アーム部との交差角度を一定に保ちつつ、前記第二アーム部を前記交差面部に対して接離させるように弾性変形可能に構成されていることを特徴とする請求項１に記載の被固定物。
【請求項３】
前記第二アーム部が、前記接続部と離れた側の端部に、前記交差面部から離れるように折れ曲がった折曲部を有することを特徴とする請求項１又は２に記載の被固定物。
【請求項４】
設置面部と、この設置面部に交差する方向に延びる交差面部と、この交差面部に設けられる係止部と、を有して構成されるバッテリに対して固定されるヒュージブルリンクであって、
前記設置面部に設置されるヒュージブルリンク本体と、前記係止部に係止される被係止部を有するとともに前記ヒュージブルリンク本体に取り付けられる係止部材と、を有して構成され、
前記係止部材は、前記ヒュージブルリンク本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、
前記第二アーム部には、前記被係止部が設けられ、
前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記バッテリと間隔をあけて配置されることを特徴とするヒュージブルリンク。
【請求項５】
固定対象物に対して被固定物を固定するための固定構造であって、
前記固定対象物は、設置面部と、この設置面部に交差する方向に延びる交差面部と、この交差面部に設けられて前記被固定物を係止する係止部と、を有して構成され、
前記被固定物は、前記設置面部に設置される被固定物本体と、前記係止部に係止される被係止部を有するとともに前記被固定物本体に取り付けられる係止部材と、を有して構成され、
前記係止部材は、前記被固定物本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、
前記第二アーム部には、前記被係止部が設けられ、
前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記固定対象物と間隔をあけて配置されることを特徴とする固定構造。
【発明の詳細な説明】
【技術分野】
【０００１】
本発明は、被固定物、ヒュージブルリンク及び固定構造に関する。
【背景技術】
【０００２】
従来、固定対象物に対して被固定物を固定するための固定構造として、例えば、バッテリに対して電気部品（ヒューズやヒュージブルリンク等）を固定するための電気部品の固定構造が提案されている（例えば、特許文献１参照）。特許文献１に記載された電気部品の固定構造は、バッテリの電極ポストに固定されるバッテリ端子と、このバッテリ端子に接続されるヒューズユニットと、バッテリ端子に立設されたボルトを挿通可能な補強板と、を備えて構成されている。ヒューズユニットは、その電源側端子が補強板を介してバッテリ端子のボルトと、ナットとによって締結されることで、バッテリに固定されるようになっている。
【先行技術文献】
【特許文献】
【０００３】
【特許文献１】特開２０１３−３７９４９号公報
【発明の概要】
【発明が解決しようとする課題】
【０００４】
しかしながら、特許文献１に記載されたような従来の電気部品の固定構造では、被固定物（ヒュージブルリンク）が固定対象物（バッテリ）の突起部（電極ポスト）に固定される構成であるため、被固定物の全荷重が突起部に作用することとなり、突起部に対する負荷が大きくなってしまう。そこで、このような固定構造に加え、他の部材によって被固定物を固定対象物に係止させる固定構造を採用することにより、突起部に対する負荷を軽減させる構成が考えられる。しかしながら、被固定物と固定対象物との相対位置に公差が生じることがあり、このような公差に対応して被固定物と固定対象物とを係止させることは困難である。
【０００５】
本発明の目的は、公差に対応して固定対象物に係止可能な被固定物、ヒュージブルリンク、及び、固定対象物に対する被固定物の固定構造を提供することにある。
【課題を解決するための手段】
【０００６】
前記課題を解決し目的を達成するために、請求項１に記載された発明は、設置面部と、この設置面部に交差する方向に延びる交差面部と、この交差面部に設けられる係止部と、を有して構成される固定対象物に対して固定される被固定物であって、前記設置面部に設置される被固定物本体と、前記係止部に係止される被係止部を有するとともに前記被固定物本体に取り付けられる係止部材と、を有して構成され、前記係止部材は、前記被固定物本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、前記第二アーム部には、前記被係止部が設けられ、前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記固定対象物と間隔をあけて配置されることを特徴とする被固定物である。
【０００７】
請求項２に記載された発明は、請求項１に記載の発明において、前記接続部は、前記第一アーム部と前記第二アーム部との交差角度を一定に保ちつつ、前記第二アーム部を前記交差面部に対して接離させるように弾性変形可能に構成されていることを特徴とするものである。
【０００８】
請求項３に記載された発明は、請求項１又は２に記載の発明において、前記第二アーム部が、前記接続部と離れた側の端部に、前記交差面部から離れるように折れ曲がった折曲部を有することを特徴とするものである。
【０００９】
請求項４に記載された発明は、設置面部と、この設置面部に交差する方向に延びる交差面部と、この交差面部に設けられる係止部と、を有して構成されるバッテリに対して固定されるヒュージブルリンクであって、前記設置面部に設置されるヒュージブルリンク本体と、前記係止部に係止される被係止部を有するとともに前記電気部品本体に取り付けられる係止部材と、を有して構成され、前記係止部材は、前記ヒュージブルリンク本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、前記第二アーム部には、前記被係止部が設けられ、前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記バッテリと間隔をあけて配置されることを特徴とするヒュージブルリンクである。
【００１０】
請求項５に記載された発明は、固定対象物に対して被固定物を固定するための固定構造であって、前記固定対象物は、設置面部と、この設置面部に交差する方向に延びる交差面部と、この交差面部に設けられて前記被固定物を係止する係止部と、を有して構成され、前記被固定物は、前記設置面部に設置される被固定物本体と、前記係止部に係止される被係止部を有するとともに前記被固定物本体に取り付けられる係止部材と、を有して構成され、前記係止部材は、前記被固定物本体から前記設置面部に沿って延びる第一アーム部と、一端が前記第一アーム部の端部に連続するとともに弾性変形可能な接続部と、端部が前記接続部の他端に連続するとともに前記交差面部に沿って延びる第二アーム部と、を有して構成され、前記第二アーム部には、前記被係止部が設けられ、前記接続部は、前記一端において前記第一アーム部から離れるにしたがって前記設置面部から離れるように折れ曲がり、前記他端において前記第二アーム部から離れるにしたがって前記交差面部から離れるように折れ曲がり、前記固定対象物と間隔をあけて配置されることを特徴とする固定構造である。
【発明の効果】
【００１１】
請求項１、４、５に記載された発明によれば、接続部が、第一アーム部から離れるにしたがって設置面部から離れるように折れ曲がるとともに第二アーム部から離れるにしたがって交差面部から離れるように折れ曲がることから、接続部を変形させることによって第一アーム部と第二アーム部との相対位置や交差角度（第一アーム部及び第二アーム部をそれぞれ仮想的に延長した際の交差角度）を適宜に変更することができる。従って、固定対象物（バッテリ）と被固定物（ヒュージブルリンク）との間に生じる公差を接続部の変形によって吸収し、係止部に被係止部を係止させ、固定対象物に被固定物を係止させることができる。
【００１２】
さらに、接続部は、このように折れ曲がることにより、第一アーム部よりも設置面部の反対側に突出するとともに第二アーム部よりも交差面部の反対側に突出しており、係止部に被係止部を係止させたり係止を解除したりする際に、このように突出した接続部を例えば指で押圧したりつまんで引き上げたりすることができ、操作性を向上させることができる。
【００１３】
請求項２に記載された発明によれば、ヒンジ部が、接続部同士の交差角度を一定に保ちつつ第二アーム部を交差面部に対して接離させるように弾性変形可能に構成されることから、被固定物本体（ヒュージブルリンク本体）を設置面部に設置した際に、第二アーム部が交差面部に近づきすぎたり離れすぎたりするような公差が生じた場合であっても、この公差を吸収することができる。
【００１４】
請求項３に記載された発明によれば、第二アーム部が交差面部から離れるように折れ曲がった折曲部を有することから、第二アーム部が交差面部に沿って取り付けられた状態において、折曲部を操作することにより、係止部と被係止部との係止を容易に解除することができる。
【図面の簡単な説明】
【００１５】
【図１】本発明の実施形態に係る電気部品の固定構造を示す斜視図である。
【図２】図１の電気部品の一部を示す斜視図である。
【図３】図２の電気部品に設けられた係止部材を示す斜視図である。
【図４】図３の係止部材のＸ−Ｘ線に沿う断面図である。
【図５】本発明の変形例に係る電気部品を示す斜視図である。
【発明を実施するための形態】
【００１６】
以下、本発明の実施形態を図面に基づいて説明する。図１、２に示すように、本実施形態の電気部品の固定構造は、車両に搭載されるバッテリ（固定対象物）１０に対してヒュージブルリンク（被固定物）としてのヒューズユニット２０を固定するための固定構造である。ヒューズユニット２０は、バッテリ１０の電極端子（後述するポスト１４）と負荷との間に配置されて、過電流や通電時の温度上昇を防止するものであって、過電流が流れると溶解する複数の可溶部を有したバスバー２１を内蔵して構成されている。
【００１７】
バッテリ１０は、バッテリ本体を収容するロアケース１１と、このロアケース１１の上部を覆うアッパーケース１２と、を備えた箱状に形成され、アッパーケース１２には、正負の電極端子である左右一対のポスト１３，１４が上方に突出して設けられている。アッパーケース１２は、上面部（設置面部）１５と、上面部１５に連続して四周に垂下された４つの側面部（交差面部）１６と、を有して蓋状に形成されている。また、上面部１５は、上方に位置する第一上面部１５１と、ポスト１３の周辺にて第一上面部１５１よりも下がった第二上面部１５２と、ポスト１４の周辺にて第一上面部１５１よりも下がった第三上面部１５３と、第二上面部１５２と第三上面部１５３とに亘って正面側（図１の左下側）の側面部１６に沿った図示しない第四上面部と、を有して段付き状に形成されている。
【００１８】
ヒューズユニット２０は、バスバー２１をインサート成形により一体に内蔵したユニット本体２２と、このユニット本体２２を支持してバッテリ１０に設置されるベース体２３と、を有して構成されている。ユニット本体２２には、バスバー２１に接続された複数の端子２２１が突設され、これらの端子２２１は、電線Ｗを介して負荷に接続されている。また、ユニット本体２２には、バッテリ１０のポスト１４に接続される電源側端子２２２が突設され、この電源側端子２２２は、バスバー２４及びバッテリターミナル２５を介してポスト１４に接続されている。バッテリターミナル２５は、ポスト１４にネジ止め固定される接続部材であって、バッテリターミナル２５には、接続されたバスバー２４をナットで締め付け固定するためのボルト２５１が設けられている。ユニット本体２２とベース体２３とがヒュージブルリンク本体（被固定物本体）として機能する。
【００１９】
ベース体２３は、樹脂製一体成形品であって、図２に示すように、アッパーケース１２の第一上面部１５１に載置されるベース板部２３１と、このベース板部２３１の三方の端縁から立ち上がる壁部２３２と、左右の壁部２３２に近接して立ち上がる左右一対のロック部２３３と、ベース板部２３１前方側の端縁から立ち下がる前面壁部２３４と、前面壁部２３４よりも前方に突出する一対のリブ部２３５と、ポスト１４の側にてアッパーケース１２の第三上面部１５３の上面に沿って突出する接続部材支持部２３６と、を有して形成されている。ユニット本体２２は、ベース板部２３１の上面側にて三方の壁部２３２に囲まれるとともに、ロック部２３３に係合されることで、ベース体２３に連結固定されている。
【００２０】
このベース体２３は、ベース板部２３１がアッパーケース１２の第一上面部１５１に載置され、前面壁部２３４の下端縁が第四上面部に載置され、接続部材支持部２３６が第三上面部１５３に載置されることで、アッパーケース１２の上面部１５に設置され、すなわち、アッパーケース１２の上面部１５によって設置面部が構成されている。また、ベース体２３の接続部材支持部２３６には、バッテリターミナル２５が支持され、このバッテリターミナル２５がポスト１４にネジ止め固定されることで、バッテリターミナル２５を介してベース体２３がバッテリ１０のポスト１４に支持されている。
【００２１】
また、ベース体２３において、接続部材支持部２３６から離れた側（図２における左下側）の前面壁部２３４には、金属製の係止部材３０が設けられている。係止部材３０は、図３、４にも示すように、互いに交差して延びる第一アーム部３１及び第二アーム部３２と、第一アーム部３１と第二アーム部３２とを介在して接続する接続部３３と、を有して全体Ｌ字状に弾性変形可能に形成され、金属板材から打ち抜き加工及び折り曲げ加工により一体成形されている。第一アーム部３１は、ベース体２３の一対のリブ部２３５間に位置するとともに、第二上面部１５２に沿って延び、接続部３３から離れた側の端部が前面壁部２３４に形成された挿通孔２３４Ａに挿通されることによって固定され、ベース体２３に取り付けられる。第二アーム部３２は、アッパーケース１２の側面部１６の下端縁１７よりも下方まで延びて設けられている。
【００２２】
第二アーム部３２の下端部（即ち、接続部３３から離れた側の端部）には、アッパーケース１２の側面部１６から離れるように折り曲げられた折曲部３４が形成され、この折曲部３４の上側には、アッパーケース１２側に折れ曲がって側面部１６の下端縁（係止部）１７に係止される被係止部３５が形成されている。被係止部３５は、第二アーム部３２を切り起こして形成され、アッパーケース１２側に折り曲げられるとともに、上方（第一アーム部３１側）に折り曲げられ、断面Ｌ字形に形成されている。この第二アーム部３２の幅寸法は、ベース体２３における一対のリブ部２３５の間隔寸法（内寸）よりも若干小さく形成されており、リブ部２３５間で左右方向に位置調整可能に構成されている。
【００２３】
接続部３３は、図４に示すように、第一アーム部３１の端部に接続された一端において、第一アーム部３１から離れるにしたがって上方に（第二上面部１５２から離れるように）折れ曲がり、第二アーム部３２の端部に接続された他端において、第二アーム部３２から離れるにしたがって左方に（側面部１６から離れるように）折れ曲がっている。即ち、接続部３３は、第二上面部１５２の向く方向に突出するとともに側面部１６の向く方向に突出した形状を有している。
【００２４】
以上の係止部材３０は、ベース体２３がアッパーケース１２に設置された状態において、被係止部３５がアッパーケース１２の側面部１６の下端縁１７に係止されるようになっている。ベース体２３をバッテリ１０に取り付ける場合には、被係止部３５が下端縁１７よりも図４における下方に位置するように、例えば指で接続部３３を下方に押圧したり折り曲げ部３４を持って押し下げたりし、第一アーム部３１を撓ませるとともに接続部３３を変形させる。このとき、指で接続部３３をつまんで操作してもよい。さらに、接続部３３を変形させ、第二アーム部３２を側面部１６に沿うように近づけ、下端縁１７に被係止部３５を係止させる。即ち、係止部材３０を実線で示す元の形状から二点鎖線で示す形状に変形させる。このとき、変形前における第一アーム部３１と第二アーム部３２との交差角度θ１（本実施形態では９０°）と、変形後の交差角度θ２とが同等となるように係止部材３０を変形させる。即ち、係止部材３０は、第一アーム部３１と第二アーム部３２との交差角度を略一定に保ちつつ第二アーム部３２を側面部１６に対して接離させるように弾性変形可能に構成されている。
【００２５】
一方、ベース体２３をバッテリ１０から取り外す場合には、指で接続部３３を下方に押圧したり折り曲げ部３４を持って押し下げたりするとともに、第二アーム部３２を側面部１６から遠ざけることによって、下端縁１７による被係止部３５の係止を解除する。このとき、指で接続部３３をつまんで操作してもよい。
【００２６】
このような本実施形態によれば、以下のような効果がある。即ち、係止部材３０が接続部３３を有することから、ベース体２３をバッテリ１０の設置面部に設置した際に、側面部１６と略直交する方向における公差が生じても、接続部３３を変形させることによってこの公差を吸収し、下端縁１７に被係止部３５を係止させることができる。
【００２７】
さらに、下端縁１７に係止部材３０を係止させたり係止を解除したりする際に、突出した接続部３３を押圧したりつまんだりして係止部材３０を変形させることができ、操作性を向上させることができる。
【００２８】
さらに、第二アーム部３２に折曲部３４が形成されていることから、下端縁１７に係止部材３０を係止させたり係止を解除したりする際に、折曲部３４を操作して係止部材３０を変形させることができ、操作性を向上させることができる。
【００２９】
なお、本発明は、前記実施形態に限定されるものではなく、本発明の目的が達成できる他の構成等を含み、以下に示すような変形等も本発明に含まれる。
【００３０】
例えば、前記実施形態では、ヒューズユニット２０がユニット本体２２とベース体２３とを別体に有するものとしたが、図５に示すように、ユニット本体４２とベース体４３とが一体成形されたヒューズユニット４０としてもよい。このような構成によれば、ユニット本体とベース体とを組み付ける必要がなく、組立工数を削減することができる。
【００３１】
また、前記実施形態では、第二アーム部３２に折曲部３４が形成されるものとしたが、例えば接続部３３を操作することによって容易に下端縁１７に被係止部３５を係止させたり係止を解除したりすることができれば、折曲部３４は省略されていてもよい。折曲部３４を省略すれば、係止部材の構成を簡単化することができる。
【００３２】
また、前記実施形態では、係止部材が金属板材で構成されるものとしたが、係止部材は、例えば樹脂等の弾性を有する部材によって構成されてもよいし、棒状の部材によって構成されてもよい。
【００３３】
また、前記実施形態では、固定対象物としてのバッテリ１０に対して被固定物（ヒュージブルリンク）としてのヒューズユニット２０を固定する電気部品の固定構造としたが、係止部材によって固定対象物に対して被固定物が固定されるものであればよく、例えば、バッテリに対して電気部品としてヒューズを備えないバスバーユニットが固定されてもよいし、固定対象物及び被固定物は電気部品でなくてもよい。
【００３４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３５】
１０        バッテリ（固定対象物）
１５        上面部（設置面部）
１６        側面部（交差面部）
１７        下端縁（係止部）
２０        ヒューズユニット（ヒュージブルリンク、被固定物）
２２        ユニット本体（ヒュージブルリンク本体、被固定物本体）
２３        ベース体（ヒュージブルリンク本体、被固定物本体）
３０        係止部材
３１        第一アーム部
３２        第二アーム部
３３        接続部
３４        折曲部
３５        被係止部
【図１】
2016131120.tif 000003
【図２】
2016131120.tif 000004
【図３】
2016131120.tif 000005
【図４】
2016131120.tif 000006
【図５】
2016131120.tif 000007